(57)【要約】【課題】高い保温性能と耐震性能との両立を実現した給湯装置を提供すること。【解決手段】貯湯タンク２と、貯湯タンク２が配置されている貯湯ユニット１と、貯湯タンク２の外周を覆う断熱材４と、貯湯タンク２の外周に固定されている支持部５と、貯湯ユニット１内に配置された部品３とを備え、貯湯ユニット１内に配置された部品３は支持部５と固定する係合部６を有し、支持部５は断熱材４を貫通しているとともに、支持部５の断熱材４を貫通している部位の形状は、略平板状、または、平板を曲げた略Ｕ字状であることを特徴とする給湯装置で、高い保温性能と耐震性能との両立を実現した給湯装置を提供できる。【選択図】図４
2019105420.tif 000002
【特許請求の範囲】
【請求項１】
貯湯タンクと、
前記貯湯タンクが配置されている貯湯ユニットと、
前記貯湯タンクの外周を覆う断熱材と、
前記貯湯タンクの外周に固定されている支持部と、
前記貯湯ユニット内に配置された部品と、を備え、
前記部品は前記支持部と係合する係合部を有し、
前記支持部は前記断熱材を貫通しているとともに、
前記支持部の前記断熱材を貫通している部位の形状は、略平板状、または、平板を曲げた略Ｕ字状であることを特徴とする給湯装置。
【請求項２】
前記支持部が前記断熱材を貫通している部位の、前記支持部と前記断熱材との隙間は、前記断熱材の外方側から、前記係合部にて覆われている構成としたことを特徴とする請求項１に記載の給湯装置。
【請求項３】
前記係合部を前記支持部に固定するための固定手段を備え、前記支持部は前記係合部を貫通しているとともに、前記支持部が前記係合部を貫通している部位の、前記支持部と前記係合部との隙間は、前記係合部の外方側から、前記固定手段にて覆われている構成としたことを特徴とする請求項１または２に記載の給湯装置。
【請求項４】
前記固定手段は、前記係合部の外方側から、前記支持部に挿入されている構成としたことを特徴とする請求項３に記載の給湯装置。
【発明の詳細な説明】
【技術分野】
【０００１】
本発明は、給湯装置に使用される貯湯タンクの断熱構成に関するものである。
【背景技術】
【０００２】
この種の給湯装置において、貯湯タンクを保温するための断熱材で覆う構成において、風呂水の追い焚き用熱交換器を取り付けるための支持具を、発泡工程で埋設した発泡断熱材で貯湯タンクを覆い、追い焚き用熱交換器を貯湯タンクに固定する構成が、開示されている（例えば、特許文献１参照）。
【先行技術文献】
【特許文献】
【０００３】
【特許文献１】特開２００８−０５７７９４号公報
【発明の概要】
【発明が解決しようとする課題】
【０００４】
しかしながら、前記従来の構成では、部品を取り付けるための支持具が貯湯タンクに直接固定されていないため、高い耐震性能の実現が難しいという課題を有していた。
【０００５】
本発明は前記従来の課題を解決するもので、高い保温性能と耐震性能との両立を実現した給湯装置を提供することを目的とする。
【課題を解決するための手段】
【０００６】
前記の課題を解決するために、本発明の給湯装置は、貯湯タンクと、前記貯湯タンクが配置されている貯湯ユニットと、前記貯湯タンクの外周を覆う断熱材と、前記貯湯タンクの外周に固定されている支持部と、前記貯湯ユニット内に配置された部品と、を備え、前記部品は前記支持部と係合する係合部を有し、前記支持部は前記断熱材を貫通しているとともに、前記支持部の前記断熱材を貫通している部位の形状は、略平板状、または、平板を曲げた略Ｕ字状であることを特徴とするものである。
【０００７】
これにより、貯湯タンクの外周に固定されている支持部を貫通させるために設けた貯湯タンクの外周を覆う断熱材の開口部の面積を小さくできるため、貯湯タンクからの放熱ロスを抑えられ、貯湯タンクの高い保温性能を確保することができる。これに加え、貯湯ユニット内に配置された部品を、貯湯タンクの外周に固定されている支持部を介して、貯湯タンクに固定できるため、高い耐震性能も確保することができる。
【発明の効果】
【０００８】
本発明によれば、高い保温性能と耐震性能との両立を実現した給湯装置を提供できる。
【図面の簡単な説明】
【０００９】
【図１】本実施の形態１における給湯装置の構成図
【図２】同貯湯タンクの構成図
【図３】同貯湯ユニット内に配置された部品の斜視図
【図４】同貯湯タンクに貯湯ユニット内に配置された部品を固定する手順の断面図
【図５】同貯湯タンクに貯湯ユニット内に配置された部品を固定したときの拡大断面図
【発明を実施するための形態】
【００１０】
第１の発明は、貯湯タンクと、前記貯湯タンクが配置されている貯湯ユニットと、前記貯湯タンクの外周を覆う断熱材と、前記貯湯タンクの外周に固定されている支持部と、前記貯湯ユニット内に配置された部品と、を備え、前記部品は前記支持部と係合する係合部を有し、前記支持部は前記断熱材を貫通しているとともに、前記支持部の前記断熱材を貫通している部位の形状は、略平板状、または、平板を曲げた略Ｕ字状であることを特徴とする給湯装置である。
【００１１】
これにより、貯湯タンクの外周に固定されている支持部を貫通させるために設けた貯湯タンクの外周を覆う断熱材の開口部の面積を小さくできるため、貯湯タンクからの放熱ロスを抑えられ、貯湯タンクの高い保温性能を確保することができる。これに加え、貯湯ユニット内に配置された部品を、貯湯タンクの外周に固定されている支持部を介して、貯湯タンクに固定できるため、高い耐震性能も確保することができる。
【００１２】
第２の発明は、特に、第１の発明において、前記支持部が前記断熱材を貫通している部位の、前記支持部と前記断熱材との隙間は、前記断熱材の外方側から、前記係合部にて覆われている構成としたことを特徴とするもので、これにより、貯湯タンクからの放熱ロスを低減することができる。
【００１３】
第３の発明は、特に、第１または第２の発明において、前記係合部を前記支持部に固定するための固定手段を備え、前記支持部は前記係合部を貫通しているとともに、前記支持部が前記係合部を貫通している部位の、前記支持部と前記係合部との隙間は、前記係合部の外方側から、前記固定手段にて覆われている構成としたことを特徴とするもので、これにより、貯湯タンクからの放熱ロスを低減することができる。
【００１４】
第４の発明は、特に、第３の発明において、前記固定手段は、前記係合部の外方側から、前記支持部に挿入されている構成としたことを特徴とするもので、これにより、支持部に固定手段を装着するときに、工具を用いる必要が無いため、製造コストを低減することができる。
【００１５】
以下、本発明の実施の形態について、図面を参照しながら説明する。なお、この実施の形態によって本発明が限定されるものではない。
【００１６】
（実施の形態１）
図１は、本実施の形態１における給湯装置の構成図であり、図２は、貯湯タンクの構成図である。
【００１７】
図１、図２に示すように、本発明の給湯装置は、ヒートポンプ等の熱源機が内設されている熱源ユニット７と、熱源機（図示せず）により加熱生成された湯を貯湯する貯湯タンク２が内設されている貯湯ユニット１とから構成されている。
【００１８】
そして、貯湯ユニット１内には、貯湯タンク２内の水を加熱する際に、熱源ユニット７と貯湯タンク２との間で水を循環させる沸き上げポンプ（図示せず）、浴槽水を保温する際に、浴槽水を加熱する風呂熱交換器３、その風呂熱交換器３に浴槽水を搬送する風呂ポンプ（図示せず）、また風呂熱交換器３に貯湯タンク２内の湯を搬送する追いだき風呂ポンプ（図示せず）等の部品が配置されている。
【００１９】
以下、貯湯ユニット１内に配置されている部品を、貯湯タンク２に固定する構成について、風呂熱交換器３を一例として説明するが、その他の前記部品等であっても構わない。
【００２０】
なお、貯湯タンク２の外周面には、貯湯タンク２内の湯の保温のために、断熱材４が装着されている。そして、貯湯ユニット１内に配置されている部品を、貯湯タンク２に固定することを目的として、略平板状、または、平板を曲げた略Ｕ字状である支持部５が貯湯タンク２の外周面に溶接等により固定されている。
【００２１】
図３は、風呂熱交換器３の斜視図である。図３に示すように、風呂熱交換器３は、貯湯タンク２に固定されている支持部５と係合するための係合部６を有している。
【００２２】
図４は、貯湯タンクに貯湯ユニット内に配置された部品を固定する手順の断面図であり、図５は、貯湯タンクに貯湯ユニット内に配置された部品を固定したときの拡大断面図である。
【００２３】
図４、図５に示すように、貯湯タンク２に固定されている支持部５は、貯湯タンク２の外周面に装着されている断熱材４に形成されている断熱材開口部８を貫通しているとともに、支持部５の断熱材４を貫通している部位の形状は、略平板状、または、平板を曲げた略Ｕ字状である。なお、断熱材開口部８の開口形状は、支持部５が貫通できる程度の隙間を設けた支持部５の断面形状とほぼ類似形状である。
【００２４】
これにより、貯湯タンク２の外周に固定されている支持部５を貫通させるために設けた断熱材開口部８の面積を小さくできるため、貯湯タンク２からの放熱ロスを抑えられ、貯湯タンク２の高い保温性能を確保することができる。
【００２５】
これに加え、貯湯ユニット１内に配置された風呂熱交換器３を、貯湯タンク２の外周に固定されている支持部５を介して、貯湯タンク２に固定できるため、高い耐震性能も確保することができる。
【００２６】
そして、支持部５と断熱材開口部８との高さ方向における隙間を、断熱材４の外方側から、係合部６にて覆う構成としている。これにより、支持部５と断熱材開口部８との高さ方向の隙間における貯湯タンク２からの放熱ロスを低減することができる。
【００２７】
また、風呂熱交換器３を、支持部５を介して、貯湯タンク２に固定するための固定手段９を備え、支持部５は、係合部６に形成されている係合部開口部１０を貫通しているとともに、係合部６の外方側から、支持部５に固定手段９を挿入することで、風呂熱交換器３を、支持部５を介して、貯湯タンク２に固定するようにしている。
【００２８】
これにより、支持部５に固定手段９を装着するときに、工具を用いる必要が無いため、製造コストを低減することができる。
【００２９】
なお、支持部５と係合部開口部１０との高さ方向における隙間を、係合部６の外方側から、固定手段９にて覆う構成としている。なお、係合部開口部１０の開口形状は、支持部５が貫通できる程度の隙間を設けた支持部５の断面形状とほぼ類似形状である。これにより、支持部５と係合部開口部１０との高さ方向の隙間における貯湯タンク２からの放熱ロスを低減することができる。
【００３０】
また、支持部５の係合部６より突出した部位のほぼ全てを、固定手段９にて覆うことで、支持部５における貯湯タンク２から熱伝導した熱の放熱ロスを低減できる。
【００３１】
さらに、固定手段９として、例えば、ブチルゴムなどの熱伝導率の低い材質を使用することで、支持部５における貯湯タンク２から熱伝導した熱の放熱ロスを低減することができる。
【産業上の利用可能性】
【００３２】
以上のように、本発明にかかる給湯装置は、高い保温性能と耐震性能との両立を実現できるので、ヒートポンプ給湯機や、電気温水器、燃料電池を使用したコジェネレーションシステム、ガスを使用した貯湯式給湯機等に適用できる。
【符号の説明】
【００３３】
１  貯湯ユニット
２  貯湯タンク
３  風呂熱交換器
４  断熱材
５  支持部
６  係合部
７  熱源ユニット
８  断熱材開口部
９  固定手段
１０  係合部開口部
【図１】
2019105420.tif 000003
【図２】
2019105420.tif 000004
【図３】
2019105420.tif 000005
【図４】
2019105420.tif 000006
【図５】
2019105420.tif 000007